(57)【要約】【課題】前枠の前側で不正器具を操作する不正行為を防止し得る遊技機を提供する。【解決手段】パチンコ機１０は、遊技盤２０が着脱可能に配設された本体枠１２と、本体枠１２の前側に配設され、遊技盤２０の遊技領域２０ａに対応する位置に窓口１３ａが開設された前枠１３と、窓口１３ａを覆うよう前枠１３に配設され、遊技領域２０ａを前側から透視可能に保護する透視ユニット９１および保護部１０１とを備え、保護部１０１の前面を、上縁部から下縁部に近づくにつれて遊技盤２０の盤面から前側に離間する傾斜状に形成した。【選択図】図７
2015202383.tif 000002
【特許請求の範囲】
【請求項１】
遊技領域が前面側に形成された遊技盤が着脱可能に配設された本体枠と、前記本体枠の前側に配設され、前記遊技盤の遊技領域に対応する位置に窓口が開設された前枠と、前記窓口を覆うよう前記前枠に配設され、前記遊技領域を前側から透視可能に保護する透視保護部とを備えた遊技機において、
前記透視保護部の前面の少なくとも一部は、一側縁部から他側縁部に近づくにつれて前記遊技盤の前面から前側に離間する傾斜状に形成された
ことを特徴とする遊技機。
【請求項２】
前記遊技盤における遊技領域の下端部に開設され、当該遊技領域から遊技球を排出可能なアウト口を備え、
前記透視保護部の前面は、前記アウト口に近づくにつれて前記遊技盤の前面から前側に離間するよう設けられた請求項１記載の遊技機。
【請求項３】
前記透視保護部の前面において、前記遊技盤に対して前側に離間する側の側縁部が前記前枠の前面に連なるよう構成された請求項１または２記載の遊技機。
【請求項４】
前記透視保護部の後面が、前記遊技盤に対向して前記遊技領域を画成するよう形成されると共に、当該透視保護部の前面が、一側縁部から他側縁部に近づくにつれて当該透視保護部の後面から前側に離間するよう形成された請求項１〜３の何れか一項に記載の遊技機。
【請求項５】
前記透視保護部は、前記窓口を覆う透視保護板と、当該透視保護板の前側に位置すると共にアウト口の前側を覆う保護部とを備え、前記保護部の前面が、上縁部から下縁部に近づくにつれて前記透視保護板の前面から前側に離間する傾斜状に形成された請求項１〜３の何れか一項に記載の遊技機。
【発明の詳細な説明】
【技術分野】
【０００１】
本発明は、遊技盤を有する遊技機に関するものである。
【背景技術】
【０００２】
遊技機の代表例の一つとしてのパチンコ機には、固定枠に開閉自在に組み付けられた本体枠に、パチンコ球が流下可能な遊技領域が前面側に形成された遊技盤が着脱自在に設けられ、本体枠の前側には、遊技盤の前側を覆うと共に遊技領域に対応する位置に窓口が開設された前枠が設けられている。前枠には、ガラス板等の光透過性素材からなる透明板が窓口を覆うように配設されて、透明板の前側から遊技領域を透視し得るように構成されている。また、前記遊技領域には、パチンコ球が入賞可能な入賞口が設けられると共に、入賞口に入賞せずに流下したパチンコ球を遊技領域から排出するためのアウト口が当該遊技領域の下端部に設けられている(例えば、特許文献１)。
【先行技術文献】
【特許文献】
【０００３】
【特許文献１】特開２００９−１７８６００号公報
【発明の概要】
【発明が解決しようとする課題】
【０００４】
近年では、不正器具が発する磁気によって透明板の前側から遊技領域を流下するパチンコ球に影響を与える不正行為が行われることがある。一方で前記前枠は、前記遊技領域が透明板を挟んでパチンコ機の前方空間と近接するように構成されており、透明板の前面に不正器具を近接または当接させるだけで当該不正器具を遊技領域に近接させることができることから、前記不正行為が達成される虞がある。
【０００５】
そこで本発明は、従来の技術に内在する前記問題に鑑み、これらを好適に解決するべく提案されたものであって、透視保護部の前側で不正器具を操作する不正行為を防止し得る遊技機を提供することを目的とする。
【課題を解決するための手段】
【０００６】
前記課題を克服し、所期の目的を達成するため、本願請求項１に係る遊技機は、
遊技領域(20a)が前面側に形成された遊技盤(20)が着脱可能に配設された本体枠(12)と、前記本体枠(12)の前側に配設され、前記遊技盤(20)の遊技領域(20a)に対応する位置に窓口(13a)が開設された前枠(13)と、前記窓口(13a)を覆うよう前記前枠(13)に配設され、前記遊技領域(20a)を前側から透視可能に保護する透視保護部(91,101,112,121)とを備えた遊技機において、
前記透視保護部(91,101,112,121)の前面の少なくとも一部は、一側縁部から他側縁部に近づくにつれて前記遊技盤(20)の前面から前側に離間する傾斜状に形成されたことを特徴とする。
請求項１に係る発明によれば、透視保護部の前面を、一側縁部から他側縁部に近づくにつれて遊技盤の前面から前側に離間する傾斜状に設けることにより、透視保護部の前面の他側縁部側に当接または近接させた不正器具と、遊技盤の前面との離間寸法を大きく確保でき、遊技領域における不正行為の対象となり得る部位を流下する遊技球に対して不正器具の磁気が及ぼす影響を抑えることができる。また、透視保護部の前面に当接させた不正器具が遊技盤の前面に対して傾くから、不正器具を水平姿勢で遊技領域の不正行為の対象部位に近接保持させることが困難な構成とすることができる。すなわち、透視保護部の前側で不正器具が操作されても不正行為が達成され難い構成とすることにより、透視保護部の前側で不正器具を操作する不正行為を防止し得る。
【０００７】
請求項２に係る発明では、前記遊技盤(20)における遊技領域(20a)の下端部に開設され、当該遊技領域(20a)から遊技球を排出可能なアウト口(26)を備え、
前記透視保護部(91,101,112,121)の前面は、前記アウト口(26)に近づくにつれて前記遊技盤(20)の前面から前側に離間することを要旨とする。
請求項２に係る発明によれば、透視保護部の前面を、アウト口に近づくにつれて遊技盤の前面から前側に離間する傾斜状に形成することにより、透視保護部に当接または近接させた不正器具のアウト口に対する離間寸法を大きく確保でき、アウト口の周辺を流下する遊技球に対して不正器具の磁気が及ぼす影響を抑えることができる。また、透視保護部の前面に当接させた不正器具が遊技盤の前面に対して傾くから、不正器具を水平姿勢でアウト口の周辺領域に近接保持させることが困難な構成とすることができる。すなわち、透視保護部の前側で不正器具が操作されても不正行為が達成され難い構成とすることにより、アウト口の周辺領域を標的として透視保護部の前側で不正器具を操作する不正行為を防止することができる。
【０００８】
請求項３に係る発明では、前記透視保護部(91,101,112,121)の前面において、前記遊技盤(20)に対して前側に離間する側の側縁部が前記前枠(13)の前面に連なるよう構成されたことを要旨とする。
請求項３に係る発明によれば、透視保護部の前面における遊技盤の前面から離間する側の側縁部が前枠の前面に連なるように構成することにより、透視保護部の前側への不正器具の設置を透視保護部の前面により防ぐことができる。また、透視保護部の前面により当該透視保護部の前側への不正器具の設置を防ぐことで、窓口の周囲を立体的に装飾することができる。
【０００９】
請求項４に係る発明では、前記透視保護部(91,121)の後面が、前記遊技盤(20)に対向して前記遊技領域(20a)を画成するよう形成されると共に、当該透視保護部(91,121)の前面が、一側縁部から他側縁部に近づくにつれて当該透視保護部(91,121)の後面から前側に離間するよう形成されたことを要旨とする。
請求項４に係る発明によれば、透視保護部の後面により遊技領域を画成すると共に、透視保護部の前面を一側縁部から他側縁部に近づくにつれて当該透視保護部の後面から前側に離間するよう設けることで、部材点数を増加させることなく透視保護部において傾斜状の前面を形成して、透視保護部の前側で不正器具を操作する不正行為を防止し得る。
【００１０】
請求項５に係る発明では、前記透視保護部(91,101,112)は、前記窓口を覆う透視保護板(92)と、当該透視保護板(92)の前側に位置すると共にアウト口(26)の前側を覆う保護部(101,112)とを備え、前記保護部(101,112)の前面が、上縁部から下縁部に近づくにつれて前記透視保護板(92)の前面から前側に離間する傾斜状に形成されたことを要旨とする。
請求項５に係る発明によれば、前枠の窓口を覆う透視保護板とは別の部材として、透視保護板における側縁部に隣接する領域を前側から覆う保護部を設け、当該保護部の前面を、アウト口の前側を覆い、上縁部から下縁部に近づくにつれて遊技盤の前面に対する前側に偏倚する傾斜状とすることにより、透視保護部における部材の交換容易性を担保しつつ透視保護部において傾斜状の前面を形成して、アウト口の周辺領域を標的として透視保護部の前側で不正器具を操作する不正行為を防止し得る。
【発明の効果】
【００１１】
本発明に係る遊技機によれば、透視保護部の前側で不正器具を操作する不正行為を防止することができる。
【図面の簡単な説明】
【００１２】
【図１】実施例１に係るパチンコ機を示す正面図である。
【図２】実施例１に係るパチンコ機を保護部の配設位置で拡大して示す斜視図である。
【図３】実施例１に係る前枠の前パネル、後パネル、球皿部材、装飾突部、第１発光基板および第２発光基板を正面側から視た状態で示す分解斜視図である。
【図４】実施例１に係る前枠の前パネル、後パネル、球皿部材、装飾突部、第１発光基板および第２発光基板を背面側から視た状態で示す分解斜視図である。
【図５】実施例１に係る装飾突部を示し、(ａ)は正面側から視た斜視図であり、(ｂ)は背面側から視た斜視図である。
【図６】(ａ)は図１のＡ−Ａ線における前枠の要部拡大断面図であり、(ｂ)は上貯留部の底面と装飾突部との関係を正面から視た状態で示す概略図である。
【図７】図１のＢ−Ｂ線における要部を拡大して示す断面図である。
【図８】図７におけるＸ部の拡大図である。
【図９】変更例に係る装飾突部を示す正面図である。
【図１０】実施例２に係るパチンコ機を保護部の配設位置で拡大して示す斜視図である。
【図１１】実施例２に係るカバー部材を示し、(ａ)は正面図であり、(ｂ)は背面図であり、(ｃ)はカバー部材を配設した前枠を図１のＢ−Ｂ線で縦断した要部拡大図である。
【図１２】実施例３に係る前枠を図１のＢ−Ｂ線に対応する位置で縦断した要部拡大図である。
【発明を実施するための形態】
【００１３】
次に、本発明に係る遊技機につき、好適な実施例を挙げて、添付図面を参照して以下に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例１】
【００１４】
(パチンコ機１０について)
実施例に係るパチンコ機１０は、図１に示すように、矩形枠状に形成されて遊技店の図示しない設置枠台に固定される固定枠としての外枠１１の開口前面側に、遊技盤２０(図１参照)を着脱可能に保持する本体枠としての中枠１２(図７参照)が開閉および着脱可能に組み付けられると共に、遊技盤２０の後側に、図柄を変動表示可能な図柄表示装置１７が着脱し得るよう配設されている。図柄表示装置１７は、始動入賞部２４に設けられた入賞口(始動入賞口)２４ａへのパチンコ球の入賞を契機として演出用の図柄(飾図という場合もある)を表示部１７ａに変動表示させる図柄変動演出を行うよう構成される。また図柄表示装置１７では、図柄変動に関連して実行される各種の表示演出を表示部１７ａに表示し得るようになっている。
【００１５】
前記中枠１２の前面側には、図１および図２に示すように、遊技盤２０の遊技領域２０ａに対応する窓口１３ａが形成された前枠(装飾枠)１３が開閉可能に組み付けられている。前枠１３には、窓口１３ａを覆うように透視ユニット９１が配設されて、該透視ユニット９１が遊技領域２０ａを前側から透視可能に保護している。前枠１３には、パチンコ球の貯留部１４ａ,１５ａを形成する上球受け皿１４および下球受け皿１５が設けられており、前枠１３の開閉に合わせて上球受け皿１４および下球受け皿１５が一体的に開閉するよう構成される。また、前枠１３の前面には、下球受け皿１５の右側方に、前記中枠１２に配設された発射装置(図示せず)を作動させると共に該発射装置に連動するよう球送り装置１８(図４参照)を作動させる操作ハンドル１６が設けられる(図１参照)。この操作ハンドル１６は、左回転方向に付勢された操作レバー１６ａを備えており、該操作レバー１６ａを右回転するよう回動操作することにより前記上球受け皿１４に貯留されたパチンコ球が球送り装置１８により発射位置に１個ずつ送り出されて、発射装置により前記遊技盤２０に向けて発射されるようになっている。
【００１６】
(遊技盤２０について)
前記遊技盤２０は、平板状に形成された板部材の盤面(前面)に、略円形状に湾曲したレール２１が設けられて、該レール２１の内側にパチンコ球が流下可能な遊技領域２０ａが画成される。そして、前記中枠１２の前面側を前記前枠１３が覆う状態で、遊技盤２０の盤面と前記透視ユニット９１の後面(後側透明板９３の後面)とが対向位置し、該透視ユニット９１の後面により遊技領域２０ａの前側が画成されるようになっている。そして、前記発射装置から発射されたパチンコ球が前記レール２１に沿って遊技領域２０ａ内に案内されて、遊技盤２０の盤面と透視ユニット９１の後面との間を流下するようになっている。また、前記遊技盤２０には、前記遊技領域２０ａ内に多数の遊技釘が植設されており、遊技領域２０ａを流下するパチンコ球が遊技釘に接触することでパチンコ球の流下方向を不規則に変化させたり、パチンコ球を一定方向に誘導するようになっている。また遊技盤２０には、前後に貫通する装着口(図示せず)が前記遊技領域２０ａ内の複数箇所に開設されて、各装着口に対して各種の遊技部品が取り付けられている。なお、前記装着口の形成数や大きさは、遊技盤２０に対して取り付けられる各種部品の個数や配設位置等に応じて適宜決定される。
【００１７】
ここで、図１に示すように、遊技盤２０の盤面には、前後に開口する枠状に形成された枠状装飾体２３が取り付けられ、該枠状装飾体２３の表示窓を介して遊技盤２０の裏側に配設された図柄表示装置１７の表示面が遊技盤２０の前面側に臨むよう構成されている。また、枠状装飾体２３の下方には、遊技領域２０ａを流下するパチンコ球が入賞可能な入賞口が形成された入賞部としての始動入賞部２４や特別入賞部２５が取り付けられると共に、遊技領域２０ａの下端部に、当該遊技領域２０ａからパチンコ球を排出するためのアウト口２６が設けられている。そして、前記始動入賞部２４の入賞口(始動入賞口)にパチンコ球が入賞することで、前記図柄表示装置１７に図柄を変動表示する図柄変動演出が展開され、該図柄変動演出の結果、図柄表示装置１７に所定の図柄組み合わせ(例えば同一図柄の３つ揃い等)で図柄が停止表示されると、前記特別入賞部２５の入賞口(特別入賞口)が開放されて所謂大当りが発生し、遊技者が多数の賞球を獲得可能な機会が与えられるようになっている。なお、前記図柄表示装置１７としては、各種図柄を表示可能な液晶パネルを収容ケースに収容した液晶表示装置や、ドラム式の表示装置やドットマトリックス式の表示装置、７セグメントディスプレイ、その他の各種図柄を停止および変動表示可能な表示装置が採用される。
【００１８】
(透視ユニット９１について)
図１に示すように、前記透視ユニット９１は、前記遊技盤２０の遊技領域２０ａ全体を被覆可能な大きさに形成されている。透視ユニット９１は、当該透視ユニット９１の前面および後面を形成する透明板(透視保護板)９２,９３と、該透明板９２,９３の外周を囲繞する枠状に形成されて透明板９２,９３を保持する保持枠９４とから構成されている。ここで、透視ユニット９１は、前後に離間して２枚の透明板９２,９３を備え、前側に位置する前側透明板９２が、パチンコ機１０の前面に位置する当該透視ユニット９１の前面を形成すると共に、後側に位置する後側透明板９３が、遊技領域２０ａの前側を画成する当該透視ユニット９１の後面を形成している。なお、前側透明板９２および後側透明板９３は、保持枠９４により平行に保持されている。透視ユニット９１は、保持枠９４の外周面の四隅部分に外方へ突出する挟持片(図示せず)が形成されており、前枠１３に設けられた固定具３９を介して挟持片が挟持固定されることで、前側透明板９２および後側透明板９３が遊技盤２０の盤面と略平行に位置する状態で前枠１３に固定される。
【００１９】
ここで、実施例１のパチンコ機１０は、図１および図２に示すように、前記窓口１３ａを後側から覆うように前枠１３に対して前記透視ユニット９１が着脱可能に取り付けられると共に、前記透視ユニット９１の下部を前側から覆うようにして光透過性の保護部１０１(後述)が前枠１３に設けられている。従って、実施例１では、窓口１３ａを覆う光透過性の透視ユニット９１および保護部１０１が、遊技領域２０ａを前側から透視可能に保護する「透視保護部」として機能している。実施例１の保護部１０１は、透視ユニット９１とは別に、前枠１３の一部として設けられている(前枠１３の装飾部材としての装飾突部(突部)７１に形成されている)。
【００２０】
(前枠１３について)
実施例１に係る前枠１３は、図２、図３および図４に示すように、中枠１２に開閉可能に支持された前枠ベース３１と、前枠ベース３１の前面に配設される上下の球皿部材５３と、前枠ベース３１および上下の球皿部材５３の前側を覆う装飾構成部６１とを備えている。前枠１３には、前枠ベース３１に上下の球皿部材５３が取り付けられて該球皿部材５３と前枠ベース３１とにより上球受け皿１４および下球受け皿１５が構成され、下球受け皿１５の右方には前記操作ハンドル１６が設けられている。前枠ベース３１は、中枠１２に開閉可能に支持される後パネル３１Ｂと、後パネル３１Ｂの前面に取り付けられる前パネル３１Ｆとにより構成され、前パネル３１Ｆに球皿部材５３が取り付けられている。なお、図３および図４では、球皿部材５３として、上球受け皿１４を形成する球皿部材５３のみ図示してある。
【００２１】
(後パネル３１Ｂについて)
前記前枠ベース３１の後パネル３１Ｂは、図３および図４に示すように、前記遊技盤２０に対して略平行な平板面を基本とする板状に設けられ、前記遊技盤２０の遊技領域２０ａの前側位置に、前記窓口１３ａより一回り大きなベース開口３２が前後に開口するよう開設されている。後パネル３１Ｂは、ベース開口３２の開口上縁部を形成する上枠部と、ベース開口３２の開口下縁部を形成する下枠部と、ベース開口３２の左右の開口縁部を形成する左枠部および右枠部とからなり、上下左右の各枠部が一体に形成されている。なお、後パネル３１Ｂは、複数の部材を組み合わせて前後に開口する枠状に形成してもよい。
【００２２】
図４および図７に示すように、前記後パネル３１Ｂの後面には、前枠１３を補強する金属製の補強部材３６が設けられており、補強部材３６の後面には、前記透視ユニット９１の下端部を支持する下側支持部材３８および当該透視ユニット９１の上方移動を規制する上側支持部材(図示せず)が取り付けられている。また、前記上下の支持部材３８の左右端部には、透視ユニット９１の下部(挟持片)を当該下側支持部材３８の対向面との間で挟持固定可能な回転式の固定具３９(図４に下側の固定具のみ図示)が配設されている。固定具３９は、透視ユニット９１の挟持片を挟持固定する固定位置と、透視ユニット９１の挟持片の後面から退避して透視ユニット９１の挟持固定を解除する解除位置に回転し得るよう構成されている。すなわち、透視ユニット９１(保持枠９４)の下端部を下側支持部材３８に載置した状態で各固定具３９を固定位置に回転変位することで、透視ユニット９１が前枠１３に固定され、透視ユニット９１(保持枠９４)が前枠１３に固定された状態で各固定具３９を解除位置に回転変位することで、透視ユニット９１を前枠１３から取り外し得るようになっている。
【００２３】
また、前記後パネル３１Ｂの後面には、図３および図４に示すように、中枠１２に設けた球払出機構部に連通する球受け部３４が前記下枠部の上部における左端位置から後方へ突出する樋状に形成されると共に、該球受け部３４が前面側で開口するよう形成されている。そして、前記球受け部３４の前方開口が、前パネル３１Ｆの球払出口５０ａを介して上球受け皿１４内(上貯留部１４ａ)に連通し、球払出機構部により払い出されたパチンコ球が球受け部３４および球払出口５０ａを通じて上貯留部１４ａに導かれるようになっている。また、下枠部の上部における中央やや右寄りの位置に形成された開口部３３ａが前記前パネル３１Ｆの球供給口５０ｂ(後述)と連通して、上球受け皿１４(上貯留部１４ａ)から前記球送り装置１８へのパチンコ球の供給が可能に構成されている。
【００２４】
(前パネル３１Ｆについて)
前記前パネル３１Ｆは、図４に示すように、前記後パネル３１Ｂにおける前記ベース開口３２の下部を形成する下枠部に対向する板状部５０と、当該板状部５０の外縁から後方へ延出する延出板部５１とを備えており、当該延出板部５１の後端部を当接させた状態で当該後パネル３１Ｂに固定されている。そして、前記板状部５０の前面に上下に離間して２つの球皿部材５３が取り付けられて、上側の球皿部材５３と前パネル３１Ｆ(板状部５０)との間に上方に開口する前記上貯留部１４ａが形成されると共に、下側の球皿部材５３と前パネル３１Ｆ(板状部５０)との間に上方に開口する前記下貯留部１５ａが形成されている。また、前パネル３１Ｆの上部における左端位置には、前記球払出機構部により払い出されたパチンコ球を上貯留部１４ａに受け入れるための前記球払出口５０ａが球受け部３４に連通するように開設されている。また、前パネル３１Ｆの上部における中央やや右側の位置には、上貯留部１４ａに貯留されたパチンコ球を前記球送り装置１８に供給するための前記球供給口５０ｂが開口部３３ａに連通するように開設されている。すなわち、前記上球受け皿１４は、前パネル３１Ｆおよび球皿部材５３により構成され、当該前パネル３１Ｆおよび球皿部材５３の間に形成される上貯留部１４ａが、前パネル３１Ｆに形成された球払出口５０ａを通じて球受け部３４に連通すると共に、前パネル３１Ｆに形成された球供給口５０ｂを通じて前記球送り装置１８に連通するよう構成されている。なお、下球受け皿１５についての詳細な説明は省略するが、前後のパネル３１Ｆ,３１Ｂに連通するよう開設された開口部３３ｂ,５０ｄ(図３、図４参照)を介して、前記球払出機構部やファール球通路(何れも図示せず)が下貯留部１５ａに連通するよう構成されており、上貯留部１４ａが満杯になって貯留不能となったパチンコ球やファール球が下貯留部１５ａに案内されるようになっている。なお、前記前パネル３１Ｆ(板状部)の前面右下部には、前記操作ハンドル１６が設置されるハンドル設置部５９が設けられている。
【００２５】
また、図８に示すように、前記前枠１３には、前記前パネル３１Ｆの上部位置(上貯留部１４ａの後方上部位置)に、発光基板７６,７７を収容する基板収容部５２が当該前パネル３１Ｆと後パネル３１Ｂとの間に形成されている。すなわち、前記基板収容部５２は、前パネル３１Ｆの板状部５０および延出板部５１と、前記後パネル３１Ｂとの間に画成されており、前方へ向けて光を照射する第１ＬＥＤ７６ａを備えた第１発光基板７６と、上方へ向けて光を照射する第２ＬＥＤ７７ａを備えた第２発光基板７７とが基板収容部５２の内部に位置するよう配設されている。ここで、前記前パネル３１Ｆの板状部５０の上端部には、前後に貫通する複数(実施例では１０個)の第１照射用開口５０ｃが左右方向に横並び状に形成されており、前記第１発光基板７６の第１ＬＥＤ７６ａが各第１照射用開口５０ｃに対して後方から臨むよう構成されている。すなわち、前記第１照射用開口５０ｃは、前記上貯留部１４ａの上方位置で開口するよう形成されており、各第１ＬＥＤ７６ａを発光させることで、上貯留部１４ａの上部が明輝されるようになっている。また、前記基板収容部５２の上縁を画成する前記延出板部５１には、上下方向へ開口する第２照射用開口５１ａが形成されており、前記第２発光基板７７の第２ＬＥＤ７７ａが当該第２照射用開口５１ａに対して下方から臨むよう構成されている。すなわち、前記第２照射用開口５１ａは、前記窓口１３ａの開口内側に向けて開口するよう形成されており、各第２ＬＥＤ７７ａを発光させることで、窓口１３ａの開口内側が明輝されるようになっている。そして、前記第１照射用開口５０ｃの前方開口が、後述する装飾突部７１に設けられたレンズ部材７５により覆われると共に、前記第２照射用開口５１ａの上方開口が装飾突部７１に設けられた保護部１０１により覆われるようになっている。また、第１発光基板７６および第２発光基板７７は、当該第２発光基板７７が第１発光基板７６の上側に位置するように前パネル３１Ｆ(前枠ベース３１)の裏側に固定されている。なお、装飾突部７１および保護部１０１については後述する。
【００２６】
(上球受け皿１４について)
図２および図６に示すように、前記上球受け皿１４に形成される上貯留部１４ａは、左端部が前記球払出口５０ａに連通すると共に複数個のパチンコ球が上下および前後に並ぶ状態で貯留し得るよう形成された球貯留領域５３ａと、該球貯留領域５３ａの右方に連設されて右端部が前記球供給口５０ｂに連通する球整列領域５３ｂとを備え、球貯留領域５３ａに貯留されたパチンコ球が球整列領域５３ｂへ自然に移動するよう構成されている。球貯留領域５３ａは、球整列領域５３ｂよりも幅寸法(前後寸法)が大きく形成され、底面が前記前パネル３１Ｆの前面に向けて後方に下方傾斜するよう形成されると共に、上貯留部１４ａにおける前パネル３１Ｆに沿う後部では右下がりに傾斜するように形成されている。また、球整列領域５３ｂは、１個のパチンコ球が通過し得る幅寸法(前後寸法)で前記前パネル３１Ｆの前面に沿って右方へ向けて直線状に下方傾斜する溝状に形成されている。すなわち、上球受け皿１４は、球貯留領域５３ａに貯留されたパチンコ球が球整列領域５３ｂへ移動する過程で前後一列に整列するよう構成されている。
【００２７】
前記球整列領域５３ｂの下流側(右側)には、球供給口５０ｂに連通する下流側を上方から覆うように球均し部５４ｂが設けられている。この球均し部５４ｂは、当該球均し部５４ｂの下面と上貯留部１４ａの底面との離間寸法がパチンコ球の直径以上かつ直径の２倍以下となるよう設けられ、球供給口５０ｂに近づくにつれて上貯留部１４ａの底面に近づく傾斜面とされている。すなわち、球均し部５４ｂは、球整列領域５３ｂの下流側で球整列領域５３ｂの上限位置をパチンコ球が上下に重ならないよう規定すると共に、パチンコ球を球供給口５０ｂに到達するまでの間に上貯留部１４ａの底面に沿う直線方向に整列させる。すなわち、上球受け皿１４は、上貯留部１４ａに貯留されたパチンコ球が球整列領域５３ｂを通じて球供給口５０ｂに移動するまでの間に上下一列に整列し、球供給口５０ｂからパチンコ球を１個ずつ球送り装置１８に供給し得るよう構成されている。
【００２８】
また、上球受け皿１４には、球貯留領域５３ａから球整列領域５３ｂに亘る底面の後端に、導電性を有してアース側に接続された細長い金属プレート５４ａが前パネル３１Ｆの前面に沿って左右方向に直線状に延在するよう配設されている。これにより、球貯留領域５３ａにおいて底面の後方への下方傾斜に沿って前パネル３１Ｆとの当接位置に導かれたパチンコ球が、底面の右方への下方傾斜に沿って球整列領域５３ｂに移動する際に該金属プレート５４ａに接触することで、該パチンコ球に帯電した静電気を除去し得るように構成されている。
【００２９】
(装飾構成部６１について)
図１および図２に示すように、前記装飾構成部６１は、前記前枠ベース３１(前パネル３１Ｆおよび後パネル３１Ｂ)の前面側に配設される合成樹脂製の部材であって、前枠ベース３１の前面に対して前側に張り出すよう湾曲状に形成されている。装飾構成部６１は、前枠ベース３１(後パネル３１Ｂ)のベース開口３２を囲繞するよう配設された環状装飾部６２と、球皿部材５３の前面を覆う球皿装飾部６３とにより構成されている。環状装飾部６２は、複数(実施例１では４つ)の光透過性の部材が環状に連なるよう後パネル３１Ｂに取り付けられることで構成され、内縁部がベース開口３２の内側に位置して前記窓口１３ａの開口縁部を画成している。具体的には、環状装飾部６２は、窓口１３ａの開口上縁部を形成する上側装飾部材６２ａと、窓口１３ａの開口左縁部を形成する左側装飾部材６２ｂと、窓口１３ａの開口右縁部を形成する右側装飾部材６２ｃと、窓口１３ａの開口下縁部を形成する装飾突部７１とにより構成されている。なお、前記球皿装飾部６３には、パチンコ球を貸球として球払出口５０ａから払い出す際に遊技者が押圧操作する球貸スイッチ５６や、上貯留部１４ａに貯留されているパチンコ球を下貯留部１５ａに移動させる際に遊技者が操作する球抜きレバー５８、図柄表示装置１７で行われる図柄変動演出の表示内容に合わせて遊技者が押圧操作する複数の演出ボタン５７等が設置されている。
【００３０】
(装飾突部７１について)
図２、図３、図５および図６に示すように、前記装飾突部７１は、上貯留部１４ａの上側で該上貯留部１４ａの後面(前パネル３１Ｆの前面)より前方に突出するよう前枠１３(前パネル３１Ｆ)に配設されている。装飾突部７１は、左右に延在するよう形成されて前端面、上面および下面に複数の凹凸による装飾が一体的に設けられている。装飾突部７１は、上貯留部１４ａの後面(前パネル３１Ｆの前面)より前方に位置して当該装飾突部７１の前端面(突出端面)を形成する前壁部７２と、前壁部７２の下端から後方に延出して当該装飾突部７１の下面を形成する下壁部７３と、前壁部７２の上端から後方に延出して当該装飾突部７１の上面を形成する上壁部７４とにより、後方へ開口する断面視コ字状に形成されている。そして、前記下壁部７３の後端部を前パネル３１Ｆの前面に当接させると共に、当該前パネル３１Ｆの上面(延出板部５１)を前記上壁部７４で被覆する状態で前パネル３１Ｆの上端部に取り付けられている。なお、実施例１のパチンコ機１０には、遊技領域２０ａを前側から透視可能に保護する前記保護部１０１が、装飾突部７１の上壁部７４と一体的に形成されている。
【００３１】
図２および図５に示すように、前記前壁部７２は、前パネル３１Ｆの前面よりパチンコ球の半径と略同じ寸法分前側に偏倚した位置に設けられている。また、前壁部７２には、前記前パネル３１Ｆ(板状部５０)に形成された前記第１照射用開口５０ｃと前後に整列する位置に、前後に貫通する複数(実施例１では１０個)のレンズ用開口部７２ａが左右方向に間隔をあけて並ぶように設けられている。そして、前壁部７２と前パネル３１Ｆとの間に、光を拡散または集光可能なレンズ部材７５が配設されている。前記レンズ部材７５は、前記複数のレンズ用開口部７２ａ(第１照射用開口５０ｃ)を被覆する帯板状に形成されると共に、各レンズ用開口部７２ａと対応する位置に、前方へ突出する複数(実施例１では１０個)のレンズ部７５ａが形成されており、各レンズ部７５ａを対応のレンズ用開口部７２ａに後側から嵌め込むようにして前記装飾突部７１(前壁部７２)と前パネル３１Ｆ(板状部５０)との間に挟持固定されている。すなわち、第１発光基板７６に設けた第１ＬＥＤ７６ａを発光制御することでレンズ部材７５のレンズ部７５ａが明輝されて、装飾突部７１に形成されたレンズ用開口部７２ａを通じて機前側からレンズ部７５ａの発光態様が視認できるように構成されている。なお、前記第１発光基板７６に設けた第１ＬＥＤ７６ａは、個別に発光および消灯するよう発光制御される。
【００３２】
図２および図５に示すように、前記下壁部７３は、左右に延在すると共に、上貯留部１４ａの後端部(後方傾斜における傾斜下端部)において底面(前記金属プレート５４ａの上面)に対して真上から対向するよう設けられ、当該上貯留部１４ａの後部における貯留スペースの上限位置を規定している。すなわち、装飾突部７１(装飾突部７１の下面)は、球整列領域５３ｂへ向かうパチンコ球が集合する球貯留領域５３ａの後端部においてパチンコ球を貯留可能な上下寸法を限定するよう機能している。このように、上球受け皿１４は、装飾突部７１によって上貯留部１４ａの後端部でのパチンコ球の上下方向への重なりを規制し得るよう構成されている。すなわち、装飾突部７１は、球整列領域５３ｂの上方におけるパチンコ球の貯留スペースを制限することで、球整列領域５３ｂに位置するパチンコ球に対して真上方向に多数のパチンコ球が積み重なるのを防止して、球整列領域５３ｂに位置するパチンコ球が上方に積み重なったパチンコ球の重みによる過度な圧力を受けて球供給口５０ｂ側に流下できなくなるのを防止している。
【００３３】
図２および図５に示すように、前記上壁部７４は、左右に延在すると共に後方に延出するよう設けられ、前記ベース開口３２を介して前枠ベース３１の後方へ突出して、前記窓口１３ａの開口下縁部を形成している。また、上壁部７４の後端面は、前枠１３に配設された透視ユニット９１の前側透明板９２の前面に当接するよう設けられている。そして、上壁部７４には、光透過性を有する保護部１０１が上方に延出するよう形成されている。
【００３４】
図５(ｂ)、図７および図８に示すように、前記上壁部７４の下側には前記第２発光基板７７が配設され、当該第２発光基板７７の第２ＬＥＤ７７ａが上壁部７４の内面(下面)に対向している。そして、上壁部７４の内面(下面)において第２ＬＥＤ７７ａが対向する部位は、保護部１０１の下端に位置している。すなわち、上壁部７４の内面(下面)の一部が、第２ＬＥＤ７７ａの光を入射する前記保護部１０１の入射面１０１ｂとなっている。そして、第２ＬＥＤ７７ａが発光制御されると、前パネル３１Ｆの第２照射用開口５１ａを通じて前記保護部１０１の入射面１０１ｂに光が入射して保護部１０１が明輝され、当該保護部１０１に形成された絵柄１０２(後述)が機前側から視認できるように構成されている。
【００３５】
なお、装飾突部７１は透明な合成樹脂により形成され、前壁部７２の内面(後面)全体と、下壁部７３の内面(上面)全体と、上壁部７４の内面(下面)の一部(保護部１０１の入射面１０１ｂを除く部分)とに印刷やメッキ加工等の非透過処理がなされており、透明な保護部１０１が遊技領域２０ａを前側から透視可能な状態で前側透明板９２の前側に位置すると共に、前壁部７２、下壁部７３および上壁部７４の内側が視認不能とされている。なお、装飾突部７１は、コ・インジェクション成形法等を用いることにより、保護部１０１を無色透明な合成樹脂により形成する一方で保護部１０１以外の部位を有色の合成樹脂により形成するようにしてもよい。
【００３６】
(保護部１０１について)
図１、図２および図５に示すように、装飾突部７１(前枠１３)には、前記透視保護部を構成する保護部１０１が設けられている。保護部１０１は、光透過性素材により形成され、前記遊技領域２０ａに設けられたアウト口２６の前側に重なるよう前側透明板９２の前側に設けられている。すなわち、保護部１０１は、前記透視ユニット９１(透明板９２,９３)と共に前記窓口１３ａを覆うように前枠１３に配設されて、遊技領域２０ａを前側から透視可能に保護している。なお、保護部１０１は、アウト口２６の前方を覆う一方で前記始動入賞部２４や前記特別入賞部２５との前後の重なりを避けた位置に設けられ、当該始動入賞部２４および特別入賞部２５の視認性を阻害しないように考慮されている。
【００３７】
前記保護部１０１は、図２および図５に示すように、前記装飾突部７１の上壁部７４から上方へ向けて延出する板状に形成されると共に、複数の突片１０３が板面に沿って放射状に突出するよう形成されている。複数の突片１０３は、先端側が窄まる三角形状に形成されると共に、正面視でアウト口２６を囲う円弧状に並ぶように形成され、当該複数の突片１０３の外縁により当該保護部１０１の上縁部が形成される。
【００３８】
前記保護部１０１は、図２および図５に示すように、下縁部の中央部から上縁部に近づくにつれて厚みが減少するよう形成されている。すなわち、保護部１０１の後面は、平面状に形成されて上壁部７４の後端面と同一面上に位置するように設けられ、該上壁部７４の後端面と共に前記前側透明板９２の前面に当接するよう設けられている。また、保護部１０１の前面１０１ａは、前側に凸となる緩やかな曲面状に形成されており、アウト口２６の正面に位置する中央部は、上縁部から下縁部に近づくにつれて(装飾突部７１の前端面に近づくにつれて)前側透明板９２の前面から前側に離間するよう傾斜している。更に、保護部１０１の前面１０１ａは、下縁部の中央部が装飾突部７１の前端面(前枠１３の前面)に連なるように形成されている。
【００３９】
また、前記保護部１０１には、図５に示すように、遊技に関する情報を示唆する所要の絵柄１０２が形成されている。絵柄１０２は、微小な凹凸を形成することで保護部１０１の後面に描かれており、第２発光基板７７の第２ＬＥＤ７７ａの光が保護部１０１の入射面１０１ｂから内部に入射して絵柄を表す微小凹凸部分で反射することで当該絵柄１０２が明輝されて機前側から視認し得るよう構成される。この保護部１０１の絵柄１０２は、保護部１０１の透明性を損なわない程度の密度および大きさの凹凸により描かれており、第２ＬＥＤ７７ａの光を保護部１０１の入射面１０１ｂから内部に入射していない状態では、保護部１０１に対して前面１０１ａおよび後面から光が照射されたとしても絵柄１０２を表す微小凹凸部分でほとんど反射することなく透過して、該絵柄１０２を前側から殆ど視認し得ないよう構成される。なお、絵柄１０２の発光表示により示唆される情報としては、大当りが発生する期待度を示す情報や、始動入賞部２４の入賞口にパチンコ球が入賞したことを示す情報が挙げられる。
【００４０】
(実施例１の作用)
次に、前述のように構成された実施例１に係るパチンコ機１０の作用につき説明する。
【００４１】
前記操作ハンドル１６の操作に伴って発射装置が作動されると、前記遊技盤２０に設けたレール２１に沿って遊技領域２０ａ内にパチンコ球が打ち出され、遊技盤２０上に植設した遊技釘等に接触することで流下方向を変更しながらパチンコ球が流下する。そして、前記遊技領域２０ａを流下するパチンコ球が前記始動入賞部２４に入賞することにより、所定の制御条件下で前記図柄表示装置１７での図柄変動演出が開始され、図柄変動演出の結果、図柄表示装置１７に所定の図柄組み合わせが表示されると大当りが発生する。そして、大当りの発生に伴って前記遊技盤２０の下方に設けられた特別入賞部２５が開放されると共に、図柄表示装置１７において大当り演出が行われる。前記遊技盤２０の遊技領域２０ａは、前記前枠１３に開設された窓口１３ａを介して(透視保護部を介して)パチンコ機１０の前面側から視認し得るようになっており、遊技者がパチンコ球の動きや図柄表示装置１７で行われる各種演出を確認しながら遊技を行い得るようになっている。
【００４２】
ここで、実施例１のパチンコ機１０は、前記窓口１３ａを覆うように前枠１３に配設されて遊技領域２０ａを透視可能に保護する透視ユニット９１および保護部１０１を備え、当該保護部１０１の前面１０１ａが、一側縁部(上縁部)から他側縁部(下縁部)に近づくにつれて遊技盤２０の前面から前側に離間する傾斜状に形成されている。従って、保護部１０１の前面１０１ａに磁石等の不正器具を当接または近接させたとしても、保護部１０１の前面１０１ａまでしか不正器具を近づけることができないことで、当該不正器具と遊技盤２０の盤面との離間寸法を大きく確保でき、遊技領域２０ａにおいて不正行為者が不正器具を用いてパチンコ球を連鎖的に滞留させる対象箇所(アウト口２６の周辺領域)を流下するパチンコ球に対して不正器具の磁気が及ぼす影響を抑えることができる。また、傾斜状に形成された保護部１０１の前面１０１ａに当接させた不正器具が、遊技盤２０の前面に対して傾くから、不正器具を水平姿勢で遊技領域２０ａの不正対象部位(アウト口２６)に近接保持させることが困難な構成とすることができる。すなわち、透視ユニット９１および保護部１０１の前側で不正器具が操作されても不正行為が達成され難い構成とすることにより、透視ユニット９１および保護部１０１の前側で不正器具を操作する不正行為を防止し得る。また、磁気を検知する不正検知センサを設置することなく磁気による不正行為を防止できるから、当該不正行為の防止効果を損なうことなく遊技盤２０への不正検知センサの設置数を削減でき、製造コストの低減を図ることが可能となる。
【００４３】
実施例１のパチンコ機１０では、前記窓口１３ａを覆う透明板９２,９３と、前側透明板９２の前側に位置する保護部１０１とを備えるように構成されており、保護部１０１の前面１０１ａが、アウト口２６の前側を覆い、アウト口２６より上側に位置する上縁部からアウト口２６を覆う下縁部に近づくにつれて前側透明板９２の前面から前側に離間する傾斜状に形成されている。言い換えれば、保護部１０１の前面１０１ａは、アウト口２６に近づくにつれて、遊技盤２０の前面から前側に離間するよう設けられている。すなわち、前枠１３の窓口１３ａを覆う透明板９２,９３とは別の部材として保護部１０１を備えており、アウト口２６の前側に位置する当該保護部１０１の前面１０１ａが遊技盤２０の盤面に対する傾斜状に形成されている。従って、透明板９２,９３(透視ユニット９１)および保護部１０１のうち片方のみを交換することができる。また、保護部１０１の前面１０１ａを傾斜状に形成して、アウト口２６の周辺領域を標的として透視保護部の前側で不正器具を操作する不正行為(アウト口２６からのパチンコ球の排出を不正器具の磁力により阻止し、連鎖的に多数のパチンコ球を遊技領域２０ａの下部に滞留させて容易にパチンコ球を入賞口に入賞させ得る状態を作り出す不正行為)を防止し得る。
【００４４】
また、実施例１のパチンコ機１０は、パチンコ球を貯留する上貯留部１４ａが上方に開口するよう形成された上球受け皿１４が前枠１３における窓口１３ａより下側に設けられており、更に、上貯留部１４ａの上側に、当該上貯留部１４ａの後面より前方に突出する装飾突部７１が設けられ、遊技領域２０ａにおけるアウト口２６の前方に位置して当該アウト口２６を前側から視認可能に覆う保護部１０１の前面１０１ａが装飾突部７１の前端面に連なるように構成されている。すなわち、アウト口２６の形成領域を標的とする不正行為において磁石等の不正器具を装飾突部７１の上に載置する行為を保護部１０１により防ぐことができ、当該不正行為に対する懸念から装飾突部７１の大きさに制約が生じることがないから、上貯留部１４ａの上側で前方に突出する装飾突部７１を利用してパチンコ機１０の前面を立体的に装飾することができる。なお、保護部１０１が装飾突部７１の前端面より前側に突出しないことから、装飾突部７１の前端面に施された装飾や、上貯留部１４ａの視認性が低下することはない。従って、前記上貯留部１４ａにおけるパチンコ球の状態を容易に確認しながら遊技を行うことができる。
【００４５】
また、保護部１０１を前枠１３(装飾突部７１)に対し一体的に形成することにより、不正行為者が磁石等の不正器具を装飾突部７１および保護部１０１の間に差し込んで固定する行為を防止することができる。更に、不正行為者が不正行為を行うために保護部１０１をパチンコ機１０から取り除いた際に前枠１３の外観が変化するように構成することで、不正行為が行われたことを遊技店の店員が直ちに認識でき、不正行為者が保護部１０１をパチンコ機１０から除去する行為を躊躇わせることができる。すなわち、不正器具を用いた不正器具を防止することができる。
【００４６】
保護部１０１は、複数の突片１０３が板面に沿って放射状に突出するよう形成することで、保護部１０１の上縁部に物を載置することが困難とされる。また、保護部１０１は、下縁部の中央部から上縁部に近づくにつれて厚みが減少することで、保護部１０１の前面１０１ａを前側透明板９２から前方に離間させつつ、上縁部を薄く形成することで当該上縁部に物を載置することが困難とされる。すなわち、アウト口２６の形成領域を標的とする不正行為において保護部１０１の上縁部に磁石等の不正器具を載置する行為を防止することができる。
【００４７】
遊技に関する情報を示唆する絵柄１０２を保護部１０１に形成し、第２発光基板７７のＬＥＤを発光制御してＬＥＤの光を保護部１０１の入射面１０１ｂから内部に導入することで絵柄１０２を発光表示し得るよう構成することにより、遊技に関する情報を示唆可能な表示部として保護部１０１を利用することができる。
【００４８】
(実施例１の装飾突部についての他の実施形態)
ここで、前記装飾突部７１は、下壁部７３が左右に水平に延在するものに限らず、下壁部７３が上貯留部１４ａの底面に沿って左右方向に下方傾斜するよう構成してもよい。具体的には、図９に示すように、上貯留部１４ａの底面が後方に下方傾斜すると共に左右の一方(右方)に下方傾斜するよう設けると共に、上貯留部１４ａの後端部の上方には、上貯留部１４ａに貯留されたパチンコ球が当接し得る高さ位置で前方に突出するように装飾突部７１を設ける。また、装飾突部７１の下面(下壁部７３の下面)が上貯留部１４ａの底面の傾斜方向に下方傾斜するよう設けることで、球整列領域５３ｂの上流側で球整列領域５３ｂの上限位置を所定個数以上(例えば４個以上)のパチンコ球が上下に垂直に重ならないよう規定する。このように、装飾突部７１の下面を上貯留部１４ａの底面の傾斜方向に下方傾斜するよう構成すれば、上貯留部１４ａの後端部に貯留されるパチンコ球の上下方向の重なりが球整列領域５３ｂで大きくなることを防止できるから、球整列領域５３ｂでの球詰まりの発生を防止することができる。
【実施例２】
【００４９】
次に、実施例２に係るパチンコ機１１０について説明する。なお、実施例２に係るパチンコ機１１０では、保護部の構成が実施例１と相違し、その他の構成は同じである。すなわち、前述した実施例１に係るパチンコ機１０では前枠１３の装飾を構成する装飾突部７１に保護部１０１が設けられているのに対し、実施例２に係るパチンコ機１１０では、装飾突部７１とは別体(前枠１３とは別体)に設けられたカバー部材１１１に保護部１１２が設けられている。そこで、以下の説明では、実施例２に係るカバー部材１１１の構成について主に説明し、実施例１で説明したパチンコ機１０と同一の構成・部材に関しては、同一の符号を付して詳細な説明は省略する。
【００５０】
実施例２に係るパチンコ機１１０では、図１０および図１１(ｃ)に示すように、前記窓口１３ａを後側から覆うように前枠１３に対し前記透視ユニット９１が着脱可能に取り付けられている。また、環状装飾部６２の下部を構成する装飾突部７１が、窓口１３ａの開口下縁部を形成するよう前枠ベース３１(前パネル３１Ｆ)に設けられている。ここで、実施例２の装飾突部７１には印刷やメッキ加工等の非透過処理がなされており、アウト口２６を前側から視認可能に覆う部位(透視ユニット９１の下部を前側から覆う部位)が設けられていない。一方、光透過性のカバー部材１１１が装飾突部７１とは別体として上壁部７４を上方から覆うように前枠１３に設けられている。そして、カバー部材１１１の保護部１１２が前記透視ユニット９１の下部を前側から覆い、保護部１１２を通じてアウト口２６が機前側から視認可能とされている。従って、実施例２では、窓口１３ａを覆う光透過性の透視ユニット９１およびカバー部材１１１が、遊技領域２０ａを前側から透視可能に保護する「透視保護部」として機能している。実施例２のカバー部材１１１は、装飾突部７１や透視ユニット９１とは別に前枠１３に取り付けられている。
【００５１】
図１１に示すように、前記カバー部材１１１は、前記窓口１３ａの内側に位置する保護部１１２と、窓口１３ａの外側で前枠１３に固定される固定部１１３とを備え、遊技領域２０ａに設けられた前記アウト口２６の前方に保護部１１２が位置して、当該保護部１１２がアウト口２６を前側から視認可能に覆う状態で固定部１１３が前枠ベース３１(後パネル３１Ｂ)の後面に固定されるように構成されている。すなわち、カバー部材１１１(保護部１１２)は、前記窓口１３ａを透視ユニット９１(透明板９２,９３)と共に覆うように前枠１３に配設されて、遊技領域２０ａのアウト口２６を前側から透視可能に保護している。保護部１１２は、前側透明板９２の前方でカバー部材１１１の前面を形成する前板部１１２ａと、前板部１１２ａの下端部から後方に延在して後端部に前記固定部１１３が連設される下板部１１２ｂと、前板部１１２ａの左右縁部と下板部１１２ｂの左右縁部とを接続する左右一対の板部(左板部および右板部)１１２ｃ,１１２ｄとを有し、保護部１１２の下縁部が前記固定部１１３より前側に位置するように形成されている。前板部１１２ａ(カバー部材１１１)は、始動入賞部２４や特別入賞部２５の前方を避けた位置に設けられ、当該始動入賞部２４や特別入賞部２５の視認性を阻害しないように考慮されている。また、保護部１１２は、前枠１３に取り付けられた状態で下板部１１２ｂ(前板部１１２ａの下縁部)が前記装飾突部７１の上壁部７４に当接するよう構成されている。なお、保護部１１２においては、下板部１１２ｂの下面に、装飾突部７１の上壁部７４に設けられる凹凸形状に整合する凹凸を形成してもよい。
【００５２】
ここで、保護部１１２は、固定部１１３の前面から保護部１１２の下端前縁までの距離寸法(すなわち、下板部１１２ｂの前後寸法)が、前記装飾突部７１の前後寸法と略一致するよう設定されている。そして、前板部１１２ａの前面(保護部１１２の前面)は、下縁部(遊技盤２０に対して前側に離間する側の側縁部)が装飾突部７１の前壁部７２における前端面の上縁に連なるように形成され、装飾突部７１の前端面より前側に張り出さない状態で該装飾突部７１の上面を被覆するよう構成されている(図１１(ｃ)参照)。また、前板部１１２ａの前面は、上縁部(一側縁部)から下縁部(他側縁部)に近づくにつれて前側透明板９２の前面から前側に離間する傾斜状に設けられている。言い換えれば、保護部１１２の前面は、前記装飾突部７１の前端面に近づくにつれて遊技盤２０の前面から前側に離間する傾斜状に形成されている。
【００５３】
図１０および図１１(ｃ)に示すように、前記前板部１１２ａは、前面における上下方向の中央部が凹む湾曲状に設けられ、当該前板部１１２ａの上縁部が前側透明板９２の前面に当接する一方で前板部１１２ａの下縁部および左右縁部が前側透明板９２に対し前方に離間するよう設けられている。すなわち、カバー部材１１１は、前枠１３に取り付けられた状態で前板部１１２ａの上縁部よりも前側に偏倚する当該前板部１１２ａの下縁側が、前側透明板９２に対して前方に離間するよう構成されている。ここで、下板部１１２ｂ,左板部１１２ｃおよび右板部１１２ｄの各後端面は、前板部１１２ａの上縁部の後面と同一平面状に位置するよう設けられ、前板部１１２ａの下縁側と前側透明板９２との間に生じる間隙の周囲を各板部１１２ｂ，１１２ｃ,１１２ｄにより閉塞するよう構成されている。更に、前記保護部１１２の上縁部(前板部１１２ａの上縁部)は、図１０および図１１に示すように、前記アウト口２６の真上に位置する頂部から左右に直線状に下方傾斜するよう延在すると共に、アウト口２６の前方領域より上側に位置するように形成され、窪んだ部位や水平部位が生じない形状に形成されている。
【００５４】
図１１(ａ)に示すように、前記固定部１１３は、前記前枠ベース３１の後面に沿う板状に形成されると共に、前記下枠部に設けられたネジ受け部(図示せず)に対応する位置にネジ挿通部１１４が形成され、当該ネジ挿通部１１４に挿通したネジをネジ受け部に螺挿することで、カバー部材１１１が前枠１３に固定される。固定部１１３は、カバー部材１１１および透視ユニット９１が前枠ベース３１に取り付けられた状態で、装飾突部７１の上壁部７４と透視ユニット９１の前側透明板９２との間に挟まれて、当該固定部１１３の前後への撓み変形が防止されるようになっている(図１１(ｃ)参照)。また、固定部１１３の下端部には、前方へ向けて延出すると共に当該固定部１１３の両端部に亘って左右に延在する係合壁部１１５が形成されている。
【００５５】
(実施例２の作用)
次に、前述の如く構成された実施例２に係るパチンコ機１１０の作用につき説明する。
【００５６】
実施例２のパチンコ機１１０は、前記窓口１３ａを覆うように前枠１３に配設されて遊技領域２０ａを透視可能に保護する透視ユニット９１およびカバー部材１１１を備え、当該カバー部材１１１の前面が、一側縁部(上縁部)から他側縁部(下縁部)に近づくにつれて遊技盤２０の前面から前側に離間する傾斜状に形成されている。具体的には、前記窓口１３ａを覆う透明板９２,９３と、前側透明板９２の前側に位置するカバー部材１１１とを備えるように構成されており、カバー部材１１１における保護部１１２の前面(カバー部材１１１の前面)が、アウト口２６の前側を覆い、アウト口２６より上側に位置する上縁部からアウト口２６を覆う下縁部に近づくにつれて前側透明板９２の前面から前側に離間する傾斜状に形成されている。言い換えれば、透視ユニット９１およびカバー部材１１１からなる前面は、アウト口２６に近づくにつれて(上端から下端へ向けて)、遊技盤２０の前面から前側に離間するよう設けられている。従って、遊技領域２０ａの対象箇所(アウト口２６の周辺領域)を流下するパチンコ球に対して不正器具の磁気が及ぼす影響を抑えることができ、実施例１のパチンコ機１０と同様の効果を奏し得る。
【００５７】
また、実施例２のパチンコ機１１０は、パチンコ球を貯留する上貯留部１４ａが上方に開口するよう形成された上球受け皿１４が前枠１３における窓口１３ａより下側に設けられており、更に、上貯留部１４ａの上側に、当該上貯留部１４ａの後面より前方に突出する装飾突部７１が設けられ、遊技領域２０ａにおけるアウト口２６の前方に位置して当該アウト口２６を前側から視認可能に覆う保護部１１２の前面が装飾突部７１の前端面(前壁部７２)に連なるように構成されている。すなわち、アウト口２６の形成領域を標的とする不正行為において磁石等の不正器具を装飾突部７１の上に載置する行為を保護部１１２(カバー部材１１１)により防ぐことができると共に、装飾突部７１を利用してパチンコ機１０の前面を立体的に装飾することができる。
【００５８】
ここで、前記カバー部材１１１に設けられる保護部１１２は、前板部１１２ａの後面と、下板部１１２ｂ,左板部１１２ｃおよび右板部１１２ｄの各後端面とが前側透明板９２の前面に沿って位置するよう設けられることで、前板部１１２ａと前側透明板９２との間に生じる間隙の周囲が各板部１１２ａ,１１２ｂ，１１２ｃ,１１２ｄにより閉塞されるよう構成されている。すなわち、保護部１１２の各部位を薄板状に形成し得るようにしてカバー部材１１１の成形の容易化や部品コストの削減を図りつつ、カバー部材１１１と前側透明板９２との間に生じる間隙に不正器具を設置する行為を防止できる。
【００５９】
また、保護部１１２が前枠１３に対し別体(カバー部材１１１)として取り付けられることで、保護部１１２の交換容易性を担保し得る。更に、保護部１１２を光透過性素材により形成することにより、アウト口２６付近の視認性を確保することができ、遊技領域２０ａを流下するパチンコ球がアウト口２６から排出されたか否かを遊技者に認識させることができると共に、不正行為者による不正行為の実行を抑止することができる。
【００６０】
また、カバー部材１１１の固定部１１３に、前枠ベース３１のネジ受け部に対応するネジ挿通部１１４が形成されて、当該ネジ挿通部１１４に挿通したネジをネジ受け部に螺挿することで当該カバー部材１１１が前枠１３に固定されるように構成され、透視ユニット９１はカバー部材１１１とは別に前枠１３に取り付けられる。すなわち、透視ユニット９１に保護部１１２(カバー部材１１１)を取り付けるための構成を設ける必要をなくすことができ、カバー部材１１１により不正行為を防止しながら透視ユニット９１の汎用性を維持することができる。
【００６１】
また、保護部１１２の上縁部は、前後寸法が前板部１１２ａの板厚と等しくなるように形成されている。しかも、保護部１１２の上縁部は、頂部から左右に直線状に下方傾斜する形状に形成され、当該上縁部に窪んだ部位や水平に延在する部位が設けられていない。すなわち、これらの各構成により、アウト口２６の形成領域を標的とする不正行為において保護部１１２の上縁部に磁石等の不正器具を載置する行為を防止することができる。
【実施例３】
【００６２】
次に、実施例３に係るパチンコ機１２０について説明する。なお、実施例３に係るパチンコ機１２０では、透視保護部の構成が実施例１および実施例２と相違し、その他の構成は同じである。すなわち、前述した実施例１に係るパチンコ機１０では透視ユニット９１および保護部１０１(装飾突部７１の一部)が透視保護部を構成しており、前述した実施例２に係るパチンコ機１１０では透視ユニット９１および保護部１１２(カバー部材１１１の一部)が透視保護部を構成しているのに対し、実施例３に係るパチンコ機１２０では、透視ユニット１２１単体で透視保護部を構成している。そこで、以下の説明では、実施例３に係る透視ユニット１２１の構成について主に説明し、実施例１または実施例２で説明したパチンコ機１０,１１０と同一の構成・部材に関しては、同一の符号を付して詳細な説明は省略する。実施例３に係る透視ユニット１２１は、当該透視ユニット１２１の前面および後面を形成する透明板１２２,１２３と、該透明板１２２,１２３の外周を囲繞する枠状に形成された保持枠１２４とから構成されている。
【００６３】
前記透視ユニット１２１には、図１２に示すように、２枚の透明板１２２,１２３が遊技盤２０の前側で前後に離間して位置するように備えられ、前側に位置する前側透明板１２２が、パチンコ機１２０の前面に位置する当該透視ユニット１２１の前面を形成すると共に、後側に位置する後側透明板１２３が、遊技領域２０ａの前端を画成する当該透視ユニット１２１の後面を形成している。後側透明板１２３は、遊技盤２０の前側に一定距離を隔てて配設され、遊技領域２０ａの前端を画成する当該後側透明板１２３の後面が遊技盤２０の盤面に対して平行な状態で対向するよう位置している。
【００６４】
ここで、前記前側透明板１２２は、図１２に示すように、平面状に設けられた前面(透視保護部の前面)が、一側縁部から他側縁部に近づくにつれて遊技盤２０の前面から前側に離間する傾斜状に形成されている。具体的には、前側透明板１２２の前面は、上縁部から当該アウト口２６を覆う下縁部に近づくにつれて、遊技盤２０の盤面から前側に離間するよう設けられている。すなわち、透視ユニット１２１は、前枠１３に取り付けられた状態で、当該透視ユニット１２１の前面におけるアウト口２６の前側を覆う部分が、遊技盤２０の盤面から前側に離間するようになっている。なお、実施例３では、前側透明板１２２の前面全体が前側に下方傾斜するよう構成されているが、前側透明板１２２をアクリルやポリカーボネイト等の透明な合成樹脂により形成して、前側透明板１２２の前面におけるアウト口２６の前側を覆う一部のみを前側に下方傾斜するように構成してもよい。
【００６５】
前記保持枠１２４は、上端から下端に近づくにつれて前後寸法が大きくなるよう形成されており、当該保持枠１２４の内周側に、後側透明板１２３が遊技盤２０の盤面に略平行な姿勢で保持され、前側透明板１２２が後側透明板１２３に対し傾斜した姿勢で保持されている。また、保持枠１２４の下部は、後側透明板１２３の下端側を保持する後部が前側透明板１２２の下端側を保持する前部より下側に位置する段状に形成されている。そして、当該保持枠１２４の下部が、装飾突部７１における上壁部７４の上面および後端面に当接する状態で前枠１３に配設されている。
【００６６】
ここで、前記透視ユニット１２１は、前記保持枠１２４における前記前部(前側透明板１２２の下端側を保持する部分)の前後寸法が、当該装飾突部７１の前後寸法と等しくなるように構成され、前側透明板１２２の前面における下縁部が、装飾突部７１の前端面に連なるように構成されている。すなわち、実施例３における透視ユニット１２１の前側透明板１２２の前面は、遊技盤２０に対して前側に大きく離間する下縁部が装飾突部７１の前壁部７２に連なるよう構成されている。このように、透視ユニット１２１は、装飾突部７１の前端面を露出した状態で、保持枠１２４の下部が装飾突部７１の上壁部７４を被覆するよう構成されている。
【００６７】
(実施例３の作用)
次に、前述の如く構成された実施例３に係るパチンコ機１２０の作用につき説明する。
【００６８】
実施例３のパチンコ機１２０は、透視ユニット１２１が、一側縁部(上縁部)から他側縁部(下縁部)に近づくにつれて遊技盤２０の前面から前側に離間する傾斜状に形成されている。具体的には、透視ユニット１２１は、該透視ユニット１２１の平面状の前面全体が、遊技領域２０ａにおけるアウト口２６から離間する当該透視ユニット１２１の上縁部から、アウト口２６を覆う当該透視ユニット１２１の下縁部に近づくにつれ、遊技盤２０の盤面から前側に離間するよう構成されている。従って、磁石等の不正器具と遊技盤２０の盤面との離間寸法を大きく確保でき、不正行為の対象箇所(アウト口２６の周辺領域)を流下するパチンコ球に対して不正器具の磁気が及ぼす影響を抑えることができる。また、傾斜状に形成された前側透明板１２２の前面に当接させた不正器具が、遊技盤２０の前面に対して傾くから、不正器具を水平姿勢で遊技領域２０ａの不正対象部位(アウト口２６)に近接保持させることが困難な構成とすることができる。すなわち、透視ユニット１２１の前側で不正器具が操作されても不正行為が達成され難い構成とすることにより、透視ユニット１２１の前側で不正器具を操作する不正行為を防止し得る。また、磁気を検知する不正検知センサを設置することなく磁気による不正行為を防止できるから、当該不正行為の防止効果を損なうことなく遊技盤２０への不正検知センサの設置数を削減でき、製造コストの低減を図ることが可能となる。
【００６９】
また、透視ユニット１２１における後側透明板１２３の後面が遊技盤２０に対向して遊技領域２０ａを画成すると共に、前側透明板１２２の前面が上縁部から下縁部に近づくにつれて後側透明板１２３の後面から前側に離間するよう形成される。すなわち、透視ユニット１２１の後面により遊技領域２０ａを画成すると共に、透視ユニット１２１の前面を上縁部から下縁部に近づくにつれて当該透視ユニット１２１の後面から前側に離間するよう設けることで、部材点数を増加させることなく透視ユニット１２１において傾斜状の前面を形成して、透視ユニット１２１の前側で不正器具を操作する不正行為を防止し得る。
【００７０】
更に、前記透視ユニット１２１は、前記保持枠１２４の下端部において前記装飾突部７１の上面に対向する前側部分の前後寸法が、当該装飾突部７１の前後寸法と等しくなるように構成されると共に、前側透明板１２２の前面における下縁部が、装飾突部７１の前端面に連なるように構成されている。すなわち、アウト口２６の形成領域を標的とする不正行為において磁石等の不正器具を装飾突部７１の上に載置する行為を前側透明板１２２により防ぐことができ、当該不正行為に対する懸念から装飾突部７１の大きさに制約が生じることがないから、上貯留部１４ａの上側で前方に突出する装飾突部７１を利用してパチンコ機１０の前面を立体的に装飾することができる。なお、前側透明板１２２は、装飾突部７１の前端面より前側に突出しないことから、装飾突部７１の前端面に施された装飾や、上貯留部１４ａの視認性が低下することはない。
【００７１】
(変更例)
本発明は、前述の実施例に限定されず、以下の如く変更することも可能である。
(１) 実施例１〜３では、透視保護部の少なくとも一部を、上縁部から下縁部に近づくにつれて前側に偏倚する傾斜状に設けたが、遊技領域における不正行為の対象となる部位の違いに応じて、異なる方向に傾斜する形状としてもよい。すなわち、透視保護部の少なくとも一部を、下縁部から上縁部に近づくにつれ前側に偏倚する傾斜状とすれば、遊技領域の上部を覆う透視保護部の上縁側を当該遊技領域の前側に離間させることができるから、遊技領域の上部に対して行われる不正行為を防止することができる。また、透視保護部を、当該透視保護部の左縁部および右縁部のうち一方から他方に近づくにつれて前側に偏倚する傾斜状に構成してもよい。
(２) 実施例１〜３では、前枠における貯留部の上側に突部を設けたが、突部を設けなくてもよい。
(３) 実施例１〜３では、前枠における貯留部の上側に突部を設け、突部の前面に保護部の前面が連なるよう構成したが、保護部を設けつつ、当該保護部の前面が突部の前面に連ならない構成としてもよい。すなわち、保護部を設けることで、突部に不正器具を載置し難くすることができる。
(４) 実施例２では、保護部を有するカバー部材を前枠に設ける構成としたが、透視ユニットに設ける構成としてもよい。この場合には、カバー部材を前側透明板の前面に接着する等して設けることで、カバー部材を透視ユニットと一体的に取り扱うことができる。
(５) 実施例１および２では、保護部によりアウト口の前側を覆うように構成したが、遊技領域におけるアウト口が設けられていない領域の前側を覆うように構成してもよい。
(６) 実施例１および２では、保護部によりアウト口の前側を覆い、始動入賞部や特別入賞部を覆わない構成としたが、始動入賞部(に対応する入賞検知センサ)および特別入賞部(に対応する入賞検知センサ)の少なくとも一方と、アウト口とを前方から覆うように構成してもよい。
(７) 実施例１〜３では、突部の前端面、上面および下面に複数の凹凸からなる装飾を設けたが、突部の前端面、上面および下面を平面としてもよい。
【符号の説明】
【００７２】
１２ 中枠(本体枠)
１３ 前枠
１３ａ 窓口
２０ 遊技盤
２０ａ 遊技領域
２６ アウト口
９１ 透視ユニット(透視保護部の一部)
９２ 前側透明板(透視保護板)
１０１ 保護部(透視保護部の一部)
１０１ａ 前面
１１２ 保護部
１２１ 透視ユニット(透視保護部)
【図１】
2015202383.tif 000003
【図２】
2015202383.tif 000004
【図３】
2015202383.tif 000005
【図４】
2015202383.tif 000006
【図５】
2015202383.tif 000007
【図６】
2015202383.tif 000008
【図７】
2015202383.tif 000009
【図８】
2015202383.tif 000010
【図９】
2015202383.tif 000011
【図１０】
2015202383.tif 000012
【図１１】
2015202383.tif 000013
【図１２】
2015202383.tif 000014